(57)【要約】      （修正有）【課題】乾燥室を搭載した１台の車両を用い、顧客先において、ふとんと畳の両方の乾燥作業を効率よく行う畳・ふとん兼用乾燥車を提供する。【解決手段】車体２上に設置され開閉扉４によって密閉可能な乾燥室３と、乾燥室３の熱風取り入れ口５に接続された熱風発生器７と、乾燥室３内の床面に設けられた支持ローラ１９，２０と、支持ローラ１９，２０上に搭載され、支持ローラ１９，２０上を移動して開閉扉４から乾燥室３の外へ引き出し自在な矩形形状のふとん支持枠１０とを含み、ふとん支持枠１０の引き出し方向に対し逆側の上部は、吊り下げロッド２４を介して、乾燥室３内の天井に設けられた案内レール２６に沿って引き出し方向に移動可能なスライドローラ２３に連結されている。【選択図】図１
0003191814.tif 000002
【実用新案登録請求の範囲】
【請求項１】
車体（２）上に設置され開閉扉（４）によって密閉可能な乾燥室（３）と、この乾燥室（３）の熱風取り入れ口（５）に接続された熱風発生器（７）と、乾燥室（３）内の床面に設けられた支持ローラ（１９，２０）と、この支持ローラ（１９，２０）上に搭載され、支持ローラ（１９，２０）上を移動して開閉扉（４）から乾燥室（３）の外へ引き出し自在な矩形形状のふとん支持枠（１０，４０）とを含み、
ふとん支持枠（１０，４０）の引き出し方向に対し逆側の上部は、吊り下げロッド（２４）を介して、乾燥室（３）内の天井に設けられた案内レール（２６）に沿って引き出し方向に移動可能なスライドローラ（２３）に連結されている畳・ふとん兼用乾燥車（１）において、
案内レール（２６）の引き出し方向側の端部には、案内レール（２６）からスライドローラ（２３）が脱落することを防止するストッパ（２８）が着脱自在に設けられるとともに、乾燥室（３）内の両側面（２９）には、両側面（２９）にさし渡して設けられる畳支持棒（３４）を着脱自在に支持するブラケット（３０）が固定されていることを特徴とする畳・ふとん兼用乾燥車（１）。
【請求項２】
ふとん支持枠（１０）は、ふとん（２２）が掛けられる一対の並行な上辺桟（１１）および上辺桟（１１）に対する一対の底辺桟（１２）を有し、一対の底辺桟（１２）の間には、パンチング加工された金属板（１３）が取り付けられていることを特徴とする請求項１に記載の畳・ふとん兼用乾燥車（１）。
【考案の詳細な説明】
【技術分野】
【０００１】
本考案は、畳またはふとんの害虫の駆除および消毒のために、畳やふとんに適当な熱を加えながら乾燥させるための特殊自動車に関する。
【背景技術】
【０００２】
今日の都市部の住宅環境では、畳の自然乾燥はほとんど不可能である。しかも、暖房装置などの普及によって、畳害虫、特にダニが畳の内部に寄生しやすい状態となっている。また、ふとんの乾燥消毒も、都市部の都市型の住宅、特にマンション、団地などでは、いわゆる日光消毒が十分に行えない状況にある。
【０００３】
そこで、従来は、特許文献１に見られるように、自動車の車体上に乾燥室を設置し、この乾燥室内の畳・ふとん兼用支持枠によって畳またはふとんを保持し、密閉しながら熱風によって乾燥させ、この乾燥過程でダニなどの害虫駆除や消毒を短時間に、しかも顧客先において行っている。
【先行技術文献】
【特許文献】
【０００４】
【特許文献１】実公平０３−４８８９４公報
【考案の概要】
【考案が解決しようとする課題】
【０００５】
従来の技術によれば、１台の乾燥車で畳およびふとんを乾燥させることができるが、乾燥室内に収納された畳・ふとん兼用支持枠のすきまに畳を立て掛けるため、一度に乾燥できる畳の枚数に限りがある。したがって、本考案の課題は、ふとんを支持する支持枠を自動車から着脱自在にするとともに、自動車の乾燥室内に畳乾燥用の支持棒を着脱自在に別途設け、畳を乾燥させる場合の作業効率を上げることである。
【課題を解決するための手段】
【０００６】
上記の課題のもとに、本考案は、畳・ふとん兼用乾燥車（１）を次のように構成した。すなわち、車体（２）上に設置され開閉扉（４）によって密閉可能な乾燥室（３）と、この乾燥室（３）の熱風取り入れ口（５）に接続された熱風発生器（７）と、乾燥室（３）内の床面に設けられた支持ローラ（１９，２０）と、この支持ローラ（１９，２０）上に搭載され、支持ローラ（１９，２０）上を移動して開閉扉（４）から乾燥室（３）の外へ引き出し自在な矩形形状のふとん支持枠（１０，４０）とを含み、ふとん支持枠（１０，４０）の引き出し方向に対し逆側の上部は、吊り下げロッド（２４）を介して、乾燥室（３）内の天井に設けられた案内レール（２６）に沿って引き出し方向に移動可能なスライドローラ（２３）に連結されている畳・ふとん兼用乾燥車（１）において、案内レール（２６）の引き出し方向側の端部には、案内レール（２６）からスライドローラ（２３）が脱落することを防止するストッパ（２８）が着脱自在に設けられるとともに、乾燥室（３）内の両側面（２９）には、両側面（２９）にさし渡して設けられる畳支持棒（３４）を着脱自在に支持するブラケット（３０）が固定されている（請求項１）。
【０００７】
また、ふとん支持枠（１０）は、ふとん（２２）が掛けられる一対の並行な上辺桟（１１）および上辺桟（１１）に対する一対の底辺桟（１２）を有し、一対の底辺桟（１２）の間には、パンチング加工された金属板（１３）が取り付けられている（請求項２）。
【考案の効果】
【０００８】
本考案の畳・ふとん兼用乾燥車によれば、１台の自動車に畳およびふとん兼用の乾燥室が取り付けられているため、顧客先において畳およびふとんの乾燥作業が同時に行える。また、ふとん支持枠の引き出し方向に対し逆側の上部は、吊り下げロッドにより、乾燥室内の天井に設けられた案内レールに沿って引き出し方向に移動可能なスライドローラに連結されているため、ふとん支持枠の出し入れ当たってふとん支持枠が倒れず、またそれを持ち上げるための力も少なくてすむため、ふとん支持枠の出し入れの操作が容易である（請求項１）。
【０００９】
案内レールの引き出し方向側の端部のストッパを取り外せば、ふとん支持枠を車体から完全に分離することができる。このため、畳を乾燥させる際に、乾燥室内部を広く利用することができる。また、乾燥室内部のメンテナンス、清掃等が容易である。さらに、ふとん支持枠を乾燥車からふとんのある場所まで独立して移動させることができ、ふとん支持枠にふとんを掛けた状態で、ふとん支持枠ごとふとんを乾燥車まで移動させることもできる（請求項１）。
【００１０】
ふとん支持枠を車体から分離したうえで、乾燥室内の両側面に設けられたブラケットを利用して両側面の間に畳支持棒をさし渡せば、畳支持棒上に畳を載せることにより、乾燥室内のスペースを効率よく利用して一度に多数の畳を乾燥させることができる。また、畳乾燥作業と並行して、分離したふとん支持枠を利用して、例えばふとんの搬送作業を行ったり、ふとんを掛けた状態で掃除機を掛けたり、天日乾しをすることもでき、作業の効率を上げることができ、特に、畳とふとんを異なる条件で別々に乾燥させたい場合に有利である（請求項１）。
【００１１】
ふとん支持枠に設けられたパンチング加工された金属板上には、枕、クッション等の小物を載せることができるので、ふとんの乾燥と同時に、枕等の乾燥を行うことができる（請求項２）。
【図面の簡単な説明】
【００１２】
【図１】本考案の畳・ふとん兼用乾燥車に関する、ふとん支持枠を引き出した状態の側面図である。
【図２】本考案の畳・ふとん兼用乾燥車に関する、ふとん支持枠を収納した状態の側面図である。
【図３】本考案の畳・ふとん兼用乾燥車に関する、ふとん支持枠を収納し、扉を開放した状態の背面図である。
【図４】本考案の畳・ふとん兼用乾燥車に関する、ふとん支持枠を分離し、畳支持棒を設置した状態の背面図である。
【図５】ふとん支持枠に関する、外枠を覆う巻き布の一部を省略した斜視図である。
【図６】（ａ）ふとん支持枠を引き出した状態におけるスライドローラ部の部分拡大側面図である。（ｂ）ふとん支持枠を引き出した状態におけるスライドローラ部の部分拡大背面図である。
【図７】ふとん支持枠を収納した状態における固定具部分の部分拡大側面図である。
【考案を実施するための最良の形態】
【００１３】
図１ないし図４は、本考案の畳・ふとん兼用乾燥車１を示している。この畳・ふとん兼用乾燥車１は、車体２の部分で乾燥室３を搭載している。
【００１４】
この乾燥室３は、背面側で例えば両開き形式の開閉扉４を備えており、また車体２の前面側には熱風発生器７が搭載されている。熱風発生器７は外部から操作できるようになっており、ダクト６を介して乾燥室３の熱風取り入れ口５へ熱風を送り込んでいる。また、乾燥室３の前側下方の両壁際には、排気ダクト８が開口しており、両排気ダクト８は天井部分で合流して排気口９によって外気に通じている。
【００１５】
また、この畳・ふとん兼用乾燥車１は、上記乾燥室３の内部に、ふとん２２を車体２の幅方向に２列掛けられるふとん支持枠１０と、１列掛けられるふとん支持枠４０とを備えている。
【００１６】
図５において、ふとん支持枠１０は、側面から見て、高さ１２６０ｍｍ、長さ２７００ｍｍのほぼ矩形形状を有しており、ふとん２２が掛けられる一対の並行な上辺桟１１および上辺桟１１に対して並行な一対の底辺桟１２を有し、また、一対の底辺桟１２の間を塞ぐようにパンチング加工された金属板１３が取り付けられている。
【００１７】
上辺桟１１は、２本のＬ字型の金属製パイプからなり、掛けられたふとん２２が熱風発生器７の熱風により熱せられた金属パイプに直接触れて焦げることを防止するために、熱伝導率の低い布によって覆われている。上辺桟１１の引き出し方向側の端部は下方へ曲がって２つの車輪１４を有する脚部１６に接続されている。
【００１８】
底辺桟１２は、上辺桟１１と脚部１６との接続部近傍において、上辺桟１１に接続されている。また、底辺桟１２の中ほどの下部から脚部１６まで、水平部１５ａおよび傾斜部１５ｂを形成する案内枠１５がかけ渡すように設けられている。
【００１９】
ふとん支持枠１０の引き出し方向に対し逆側では、上辺桟１１および底辺桟１２は、一対の柱１７によって接続されており、一対の柱１７は、水平な３本の桟１８によって接続されている。また、上辺桟１１と、底辺桟１２との間には、これらに平行な中段桟３８が柱１７の中央部と上辺桟１１の垂直部分の中央部とをかけ渡すように設けられている。この中段桟３８は、例えば図１に示すような幼児用ふとん３１等の丈の短いものを掛けるときに用いられる。
【００２０】
図６において、一番上の桟１８には、吊り下げロッド２４が回転自在に取り付けられている。吊り下げロッド２４の他端には連結ピン２５を介してブラケット３５が回転自在に取り付けられており、ブラケット３５には、４つのスライドローラ２３を支持するローラホルダー３６がボルトおよびナットにより高さ調節可能に、かつ、ボルトの軸回りに回転可能に取り付けられている。スライドローラ２３は、乾燥室３内の天井に設けられた案内レール２６に沿って車体の前後方向すなわち引き出し方向へ案内される。
【００２１】
なお、案内レール２６の引き出し方向の末端は、断面コの字形状のストッパ２８により行き止まりとなっている。ストッパ２８は、案内レール２６の外側を覆うように嵌め込まれてボルト３７により固定されており、ストッパ２８の底面がローラホルダー３６のボルト部に突き当たることにより、スライドローラ２３は、ストッパ２８よりも引き出し方向へ移動できないようになっている。このため、乾燥室３から引き出されたふとん支持枠１０，４０は、乾燥室３から完全に脱落することはなく、引き出し方向の逆側において、底辺桟１２が支持ローラ１９に載った状態のまま、脚部１６の車輪１４が接地する。なお、ストッパ２８は、ボルト３７を緩めることにより、容易に案内レール２６から取り外すことができる。
【００２２】
図２において、ふとん支持枠１０は、乾燥室３内の床面に設けられた支持ローラ１９，２０に載せられた状態で乾燥室３内に収納される。この収容時に、ふとん支持枠１０は、底辺桟１２の一部および案内桟１５が支持ローラ１９，２０上を転がるようにして乾燥室３の開閉扉４から内部に押し込まれる。このとき、スライドローラ２３も案内レール２６に案内されて内部の定位置まで移動する。定位置では、底辺桟１２の前方側が支持ローラ２０上に載り、また案内桟１５の水平部１５ａが支持ローラ１９上に載った状態となる。
【００２３】
なお、図３において、ふとん２２を車体２の幅方向に１列掛けられるふとん支持枠４０は、ふとん支持枠１０の一対の上辺桟１１および底辺枠１２を１つに減らし、桟１８および金属板１３を省略し、幅方向の寸法をふとん支持枠１０に対し小さくしたものであり、基本的な構造はふとん支持枠１０と同じなので、説明を省略する。
【００２４】
本考案の畳・ふとん兼用乾燥車１は、運転によって、乾燥させようとするふとん２２や畳２１の近くまで移動することができる。そこで、ふとん２２を乾燥させようとするときは、ふとん支持枠１０，４０を乾燥室３内から図１に示すように車体２後方へ引き出し、その状態で、ふとん２２を上辺桟１１に掛ける。また、例えば幼児用ふとん３１等丈の短いものは、上辺桟１１および中段桟３８に同時に掛けることもできる。さらに、枕３２等の小物は金属板１３上に載せればよい。上辺桟１１および中段桟３８に掛けたふとん２２は、上辺桟１１および中段桟３８の上で滑らせて前後方向に移動させることができ、掛け作業や取り外しの作業勝手がよい。
【００２５】
このとき、スライドローラ２３は案内レール２６のストッパ２８に係り止めされているので、ふとん支持枠１０は、吊り下げロッド２４によって乾燥室３の天井から吊り下げられた状態を維持でき、乾燥室３から脱落せず、また倒れない。
【００２６】
このようにして、ふとん２２等が掛けられたふとん支持枠１０，４０は、ふたたび乾燥室３の内部に収納される。この収納時に、ふとん支持枠１０，４０は支持ローラ１９，２０の上に載り、その上を転がりながら、しかも吊り下げロッド２４により倒れないように支持されて乾燥室３の内部に押し込まれるため、このようなふとん２２等の収納作業は、車体２の外部から小さな力で、しかも能率よく行える。このように、乾燥させようとするふとん２２等は、互いに接触しない状態で、乾燥室３の内部に収納される。
【００２７】
この状態で、開閉扉４を閉じ、乾燥室３を密閉してから、熱風発生器７を作動させ、乾燥室３の内部を熱風により加熱し、この状態を３０分以上２時間以内の範囲で持続する。このとき、ふとん支持枠１０，４０は、ふとん２２等をそれぞれ相互に接触しない状態で、しかもふとん２２等の間に熱風の入り込む空間を形成しながら支持しているため、熱風の熱はそれぞれのふとん２２等に対し均一に行き渡る。したがって、乾燥室３の内部の複数のふとん２２等について一様な乾燥および加熱が可能となる。
【００２８】
また、畳２１を乾燥させようとするときは、案内レール２６からストッパ２８を取り外し、ふとん支持枠１０，４０を乾燥室３から引き出すとともにスライドレール２３を案内レール２６から外す。これにより、ふとん支持枠１０，４０は車体２から完全に分離された状態となる。つぎに、図４のように、乾燥室３内の両側面２９に同じ高さで車の前後方向に複数設けられたＵ字型のブラケット３０を利用して複数本の畳支持棒３４を両側面２９間にさし渡し、前後方向に同じ高さで並ぶ複数本の畳支持棒３４上に畳２１を立てた状態で滑らせながら載せる。このようにして、畳２１は乾燥室３の内部に収容される。この状態で、開閉扉４を閉じ、乾燥室３を密閉してから、熱風発生器７を作動させ、乾燥室３の内部を熱風により加熱し、この状態を３０分以上２時間以内の範囲で持続する。なお、畳２１のほか、マットレス等も同様にして載せることができる。
【００２９】
ただし、ふとん支持枠１０，４０を車体２から分離しないで畳２１の乾燥作業をおこなうこともできる。その場合、乾燥室３内にふとん支持枠１０，４０を収納した状態で、ふとん支持枠１０の一対の上辺桟１１の間に畳２１を立て掛けるが、一度に乾燥させることのできる畳２１の枚数は、ふとん支持枠１０，４０を取り外して乾燥させる場合よりも少なくなる。
【００３０】
加熱後の熱風は、廃棄ダクト８から排気口９を経て外部に排出される。また、この熱風発生器７の発熱温度は、自動温度調節器によって、各設定温度に自動的に調整される。この加熱中に、ふとん２２および畳２１内部の害虫、特にダニはその熱によって完全に死滅し、また乾燥殺菌（消毒）される。
【００３１】
乾燥作業が終了したら、引き出したふとん支持枠１０，４０を乾燥室３内部に戻し、撤収に備える。この際、ふとん支持枠１０，４０が運転中の振動により乾燥室３内部で動いてしまうのを防止するため、ふとん支持枠１０，４０は、図７に示すような固定具３３により乾燥室３内部に固定される。固定具３３は、ふとん支持枠１０，４０の脚部１６の幅方向中央に固定されたスリット金具３９と、乾燥室３の床に回動可能に取り付けられたボルト４１および蝶ナット４２とからなる。ふとん支持枠１０，４０は、支持ローラ１９，２０上を転がるようにして乾燥室３の内部の定位置まで押し込まれるが、そのとき、ふとん支持枠１０，４０の脚部１６は、支持ローラ１９の軸受け部に設けられた当て板２７に押し当てられる。この状態で、ボルト４１をスリット金具３９のスリットに通し、ボルト４１の先端部分にねじ込まれている蝶ナット４２を締めつけることにより、ふとん支持枠１０，４０は、前後方向に拘束される。
【符号の説明】
【００３２】
１  畳・ふとん兼用乾燥車
２  車体
３  乾燥室
４  開閉扉
５  熱風取り入れ口
６  ダクト
７  熱風発生器
８  排気ダクト
９  排気口
１０  ふとん支持枠
１１  上辺桟
１２  底辺桟
１３  金属板
１４  車輪
１５  案内枠
１６  脚部
１７  柱
１８  桟
１９  支持ローラ
２０  支持ローラ
２１  畳
２２  ふとん
２３  スライドローラ
２４  吊り下げロッド
２５  連結ピン
２６  案内レール
２７  当て板
２８  ストッパ
２９  側壁
３０  ブラケット
３１  幼児用ふとん
３２  枕
３３  固定具
３４  畳支持棒
３５  ブラケット
３６  ローラーホルダ
３７  ボルト
３８  中段桟
３９  スリット金具
４０  ふとん支持枠
４１  ボルト
４２  蝶ナット
【図１】
0003191814.tif 000003
【図２】
0003191814.tif 000004
【図３】
0003191814.tif 000005
【図４】
0003191814.tif 000006
【図５】
0003191814.tif 000007
【図６】
0003191814.tif 000008
【図７】
0003191814.tif 000009